(57)【要約】【課題】セパレータに亀裂が生じにくい電池を提供する。【解決手段】本発明により、正極活物質層１２ａを備える正極１２と、負極活物質層１４ａを備える負極１４とが、セパレータ１６を介して積層され、長手方向に捲回されてなる捲回電極体１０を備える電池が提供される。上記長手方向に直交する幅方向Ｙにおいて、セパレータ１６は、正極活物質層１２ａおよび負極活物質層１４ａの少なくとも一方に対向する対向部１６ａと、対向部１６ａからはみ出したはみ出し部１６ｂと、を有する。はみ出し部１６ｂの端部には、対向部１６ａよりもセパレータ１６の厚みが増すようにセパレータ積重部１６ｃが形成されている。セパレータ積重部１６ｃの少なくとも一部は、積重方向Ｘに相互に固着されている。【選択図】図３
2020053150.tif 000002
【特許請求の範囲】
【請求項１】
正極集電体上に正極活物質層を備える帯状の正極と、負極集電体上に負極活物質層を備える帯状の負極とが、帯状のセパレータを介して積層され、長手方向に捲回されてなる捲回電極体と、電解質と、を備える電池であって、
前記長手方向に直交する幅方向において、前記セパレータは、前記正極活物質層および前記負極活物質層の少なくとも一方に対向する対向部と、前記対向部からはみ出したはみ出し部と、を有しており、
前記はみ出し部の前記対向部から離れた側の端部には、前記長手方向に沿って、前記対向部よりも前記セパレータの厚みが増すようにセパレータ積重部が形成されており、前記セパレータ積重部の少なくとも一部が、積重方向に相互に固着されている、
電池。
【発明の詳細な説明】
【技術分野】
【０００１】
本発明は、電池に関する。詳しくは、捲回電極体を備えた電池に関する。
【背景技術】
【０００２】
従来、正極集電体上に正極活物質層を備える帯状の正極と、負極集電体上に負極活物質層を備える帯状の負極とが、帯状のセパレータを介して積層され、長手方向に捲回された構成の捲回電極体を備えた電池が知られている（特許文献１〜３参照）。例えば特許文献１には、過充電時のガス発生量を増大させる目的で、圧力式の電流遮断機構を有する電池ケースと、扁平形状の捲回電極体と、ガス発生剤を含んだ電解液と、を備える二次電池が開示されている。特許文献１の二次電池では、長手方向に直交する幅方向において、セパレータが正極活物質層および負極活物質層の少なくとも一方よりも外方に突出している。上記セパレータは、当該外方に突出している部分に幅方向の内方に向かって折り返された折り返し部を有している。
【先行技術文献】
【特許文献】
【０００３】
【特許文献１】特開２０１６−１７１０５０号公報
【特許文献２】特開２００４−２５９６２５号公報
【特許文献３】特開２００７−０７３３１７号公報
【発明の概要】
【発明が解決しようとする課題】
【０００４】
ところで、上記セパレータのなかには、例えば過充電等によって電池温度が上昇したときに熱収縮するものがある。本発明者らの検討によれば、セパレータの熱収縮が大きくなると、幅方向の端部から亀裂が入り、その亀裂が広がって正負極間が短絡することがある。とりわけ、特許文献１に開示されるような扁平形状の捲回電極体は、緊束力が異なる２つの部位、すなわち、断面視における一対の平板状の捲回平坦部と、当該捲回平坦部の間に介在する半円形状の捲回Ｒ部とを有していることから、これら２つの部位の境目付近でセパレータに亀裂が生じやすい傾向にある。
【０００５】
本発明はかかる点に鑑みてなされたものであり、その目的は、セパレータに亀裂が生じにくい電池を提供することにある。
【課題を解決するための手段】
【０００６】
本発明により、正極集電体上に正極活物質層を備える帯状の正極と、負極集電体上に負極活物質層を備える帯状の負極とが、帯状のセパレータを介して積層され、長手方向に捲回されてなる捲回電極体と、電解質と、を備える電池が提供される。上記長手方向に直交する幅方向において、上記セパレータは、上記正極活物質層および上記負極活物質層の少なくとも一方に対向する対向部と、上記対向部からはみ出したはみ出し部と、を有する。上記はみ出し部の上記対向部から離れた側の端部には、上記長手方向に沿って、上記対向部よりも上記セパレータの厚みが増すようにセパレータ積重部が形成されている。上記セパレータ積重部の少なくとも一部は、積重方向に相互に固着されている。
【０００７】
上記構成の電池では、セパレータが熱収縮したときにも、セパレータの幅方向の端部を積重状態のまま維持することができる。このことにより、セパレータの熱収縮に対する強度や耐久性を好適に高めて、セパレータに亀裂が生じることを抑えることができる。その結果、上記構成の電池では、例えば過充電等によって電池温度が上昇したときにも、正負極間の短絡を好適に抑制することができる。
【図面の簡単な説明】
【０００８】
【図１】一実施形態に係るリチウム二次電池を模式的に示す斜視図である。
【図２】一実施形態に係る捲回電極体の構成を示す模式図である。
【図３】図２のIII−III線断面図である。
【図４】一実施形態に係る捲回電極体の作製方法を示す模式図である。
【図５】一実施形態に係るセパレータシートの処理方法を説明する模式図である。
【図６】一実施形態に係る捲回電極体の要部拡大図である。
【図７】他の一実施形態に係る捲回電極体の構成を模式的に示す断面図である。
【図８】他の一実施形態に係る捲回電極体の構成を模式的に示す断面図である。
【図９】他の一実施形態に係る捲回電極体の構成を模式的に示す断面図である。
【図１０】他の一実施形態に係る捲回電極体の構成を模式的に示す断面図である。
【図１１】他の一実施形態に係る捲回電極体の構成を模式的に示す断面図である。
【図１２】他の一実施形態に係る捲回電極体の構成を示す模式図である。
【図１３】他の一実施形態に係る捲回電極体の構成を示す模式図である。
【図１４】従来例に係る捲回電極体を示す模式図である。
【図１５】従来例に係る捲回電極体の要部拡大図である。
【図１６】比較例に係る捲回電極体の要部拡大図である。
【発明を実施するための形態】
【０００９】
以下、図面を参照しつつ、ここに開示される電池の一実施形態について説明する。なお、本明細書において特に言及している事項以外の事柄であって本発明の実施に必要な事柄は、当該分野における従来技術に基づく当業者の設計事項として把握される。ここに開示される電池は、本明細書に開示されている内容と当該分野における技術常識とに基づいて実施することができる。
【００１０】
なお、本明細書において「電池」とは、一次電池と二次電池とを包含する。また、本明細書において「二次電池」とは、繰り返し充電可能な電池一般をいう。例えば、リチウム二次電池、ニッケル水素電池、リチウムイオンキャパシタ、電気二重層キャパシタ等は、ここでいう二次電池に包含される典型例である。また、本明細書において数値範囲をＡ〜Ｂ（ここでＡ，Ｂは任意の数値）と記載している場合は、Ａ以上Ｂ以下を意味している。
【００１１】
特に限定することを意図したものではないが、ここではリチウム二次電池を例にして、具体的に説明する。以下の図面において、同じ作用を奏する部材・部位には同じ符号を付し、重複する説明は省略または簡略化することがある。また、図面中の符号Ｘ、Ｙ、Ｚは、それぞれ、リチウム二次電池の厚み方向、幅方向、鉛直方向を意味するものとする。また、図面中の符号Ｆ、Ｒｒ、Ｌ、Ｒ、Ｕ、Ｄは、それぞれ前、後、左、右、上、下を意味するものとする。ただし、これらの方向は、説明の便宜上定めた方向に過ぎず、リチウム二次電池の設置形態を何ら限定するものではない。
【００１２】
図１は、リチウム二次電池１の一例を模式的に示す斜視図である。本実施形態のリチウム二次電池１は、扁平形状の捲回電極体１０と、図示しない電解質と、電池ケース２０と、を備えている。電池ケース２０は、捲回電極体１０と電解質とを収容する外装容器である。電池ケース２０は、扁平形状の捲回電極体１０に対応する角型（直方体形状）の外形を有する。電池ケース２０は、開口を有する有底直方体状のケース本体２４と、上記開口を塞ぐ蓋体（封口板）２２と、を備えている。ケース本体２４は、蓋体２２に対向する底面２４ｂと、底面２４ｂから連続する側面として、一対の短側面２４ｎおよび一対の長側面２４ｗと、を有する。蓋体２２は、矩形なプレート状の部材である。蓋体２２からは、外部接続用の正極端子１２ｔと負極端子１４ｔとが上方に突出している。
【００１３】
図２は、捲回電極体１０を示す模式図である。図３は、捲回電極体１０のIII−III線断面図である。捲回電極体１０は、帯状の正極１２と帯状の負極１４とが、帯状のセパレータ１６を介して積層され、長手方向に捲回されて、構成されている。捲回電極体１０は、ここでは扁平形状である。
【００１４】
捲回電極体１０は、幅方向Ｙの断面視において、一対の捲回平坦部１０ｆと、該一対の捲回平坦部１０ｆの間に介在する一対の捲回Ｒ部１０ｒと、から構成されている。捲回Ｒ部１０ｒは、半円形状である。捲回Ｒ部１０ｒは、捲回電極体１０の曲率部分、すなわち、外形が湾曲した部分に相当する。捲回Ｒ部１０ｒの一方は、電池ケース２０の底面２４ｂと対向するように配置されており、他方は、電池ケース２０の蓋体２２と対向するように配置されている。捲回Ｒ部１０ｒでは、捲回平坦部１０ｆに比べて、相対的に緊束力が強くなっている。捲回平坦部１０ｆは、一対の捲回Ｒ部１０ｒに挟まれている。捲回平坦部１０ｆは、平板状である。捲回平坦部１０ｆは、捲回電極体１０の扁平部分、すなわち、外形が平坦な部分に相当する。捲回平坦部１０ｆは、電池ケース２０の一対の長側面２４ｗと対向するように配置されている。捲回電極体１０の幅方向Ｙの両端は、電池ケース２０の一対の短側面２４ｎと対向するように配置されている。
【００１５】
正極１２は、正極集電体１２ｎと、正極集電体１２ｎ上に固着された正極活物質層１２ａと、を備えている。正極集電体１２ｎとしては、例えば、アルミニウム、ニッケル等の金属箔が好適である。正極活物質層１２ａは、電荷担体を可逆的に吸蔵および放出可能な正極活物質を含んでいる。正極活物質としては、例えば、リチウム遷移金属複合酸化物が挙げられる。具体例として、リチウムニッケル含有複合酸化物、リチウムコバルト含有複合酸化物、リチウムニッケルコバルト含有複合酸化物、リチウムマンガン含有複合酸化物、リチウムニッケルコバルトマンガン含有複合酸化物等が挙げられる。正極活物質層１２ａは、正極活物質以外の任意成分（例えばバインダや導電材等）を含んでいてもよい。捲回電極体１０の幅方向Ｙの左端部には、正極集電体１２ｎが露出している。正極集電体１２ｎは、正極集電板１２ｃを介して正極端子１２ｔと接続されている。
【００１６】
負極１４は、負極集電体１４ｎと、負極集電体１４ｎ上に固着された負極活物質層１４ａと、を備えている。負極集電体１４ｎとしては、例えば、銅、ニッケル等の金属箔が好適である。負極活物質層１４ａは、電荷担体を可逆的に吸蔵および放出可能な負極活物質を含んでいる。負極活物質としては、例えば、黒鉛（グラファイト）等の炭素材料や、酸化チタン、リチウムチタン複合酸化物（Lithium Titanium Composite Oxide：ＬＴＯ）等の金属酸化物材料、シリコンを含むＳｉ系材料等が挙げられる。負極活物質層１４ａは、負極活物質以外の任意成分（例えばバインダや増粘剤等）を含んでいてもよい。本実施形態では、図３に示すように、負極活物質層１４ａの幅Ｗ２が正極活物質層１２ａの幅Ｗ１よりも広い。すなわち、Ｗ２＞Ｗ１である。捲回電極体１０の幅方向Ｙの右端部には、負極集電体１４ｎが露出している。負極集電体１４ｎは、負極集電板１４ｃを介して負極端子１４ｔと接続されている。
【００１７】
セパレータ１６は、正極１２と負極１４とを絶縁している。セパレータ１６は、セパレータシートを有する。セパレータシートとしては、例えば、ポリエチレン（ＰＥ）やポリプロピレン（ＰＰ）等のポリオレフィン系樹脂からなる多孔質な樹脂シートが好適である。一般に、モノマーを配列させた分子鎖を有する樹脂シートは、電池温度が上昇したときに配向を解消する方向に収縮しやすい。このため、ここに開示される技術の適用が高い効果を奏する。セパレータシートは、単層構造であってもよいし、多層構造、例えば、ＰＰとＰＥとＰＰとの３層構造等であってもよい。セパレータシートは、樹脂シートの表面に、例えば無機化合物粒子を含む多孔質な耐熱層等を備えていてもよい。無機化合物粒子としては、例えばアルミナ等のセラミック粒子が挙げられる。
【００１８】
図３に示すように、捲回電極体１０の幅方向Ｙにおいて、セパレータ１６の幅Ｗ３は、正極活物質層１２ａの幅Ｗ１および負極活物質層１４ａの幅Ｗ２よりも広い。ここでは、Ｗ３＞Ｗ２＞Ｗ１である。言い換えれば、セパレータ１６は、捲回電極体１０の幅方向Ｙの両端部において、正極活物質層１２ａおよび負極活物質層１４ａの少なくとも一方よりも外方に突出している。セパレータ１６は、正極活物質層１２ａに対向する対向部１６ａと、対向部１６ａから外方にはみ出したはみ出し部１６ｂと、を有する。
【００１９】
セパレータ１６の幅方向Ｙの両端部、言い換えれば、はみ出し部１６ｂの対向部１６ａから離れた側の端部には、それぞれ、セパレータ積重部１６ｃが形成されている。セパレータ積重部１６ｃは、長手方向に沿って、帯状に配置されている。セパレータ積重部１６ｃは、セパレータ１６が熱収縮したときにも、積重状態を維持可能なように構成されている。セパレータ積重部１６ｃは、対向部１６ａ、および、はみ出し部１６ｂのセパレータ積重部１６ｃ以外の部分に比べて、相対的に厚みが増している。セパレータ積重部１６ｃは、ここでは、セパレータシートの両端部が、それぞれ、正極１２の側に１８０°折り返されて形成されている。セパレータシートを正極１２の側に折り返すことで、負極１４の側に折り返す場合と比べて、相対的にセパレータ積重部１６ｃの幅Ｗ４を大きく確保することができる。
【００２０】
セパレータ積重部１６ｃは、幅方向Ｙにおいて、正極活物質層１２ａには当接していない。すなわち、セパレータ積重部１６ｃの幅Ｗ４は、次の式：〔（Ｗ３−Ｗ１）／２〕＞Ｗ４；を満たしている。また、セパレータ積重部１６ｃは、厚み方向Ｘにおいて、正極活物質層１２ａの厚みよりも薄い。これにより、捲回電極体１０の全体厚み（厚み方向Ｘの長さ）が幅方向Ｙに均質になり、充放電時に不均一な反応が生じ難くなる。すなわち、捲回電極体１０で反応分布が生じ難くなる。
【００２１】
ここでは、セパレータ積重部１６ｃが、略Ｕ字状である。セパレータ積重部１６ｃは、幅方向Ｙに沿って延びる２つのストレート部と、該２つのストレート部の間に介在する半円形状の屈曲部と、で構成されている。２つのストレート部は、幅方向Ｙにおいて、正極１２と平行に配置されている。２つのストレート部は、厚み方向Ｘに積重されている。厚み方向Ｘは、積重方向の一例である。屈曲部は、セパレータ１６の幅方向Ｙの両端に位置している。セパレータ積重部１６ｃでは、対向部１６ａ、および、はみ出し部１６ｂのセパレータ積重部１６ｃ以外の部分に比べて、厚みが２倍になっている。
【００２２】
厚み方向Ｘにおいて、２つのストレート部の間には、接着層１６ｈが形成されている。接着層１６ｈは、接着剤によって２つのストレート部を厚み方向Ｘに相互に固着している。接着層１６ｈは、ここでは長手方向に沿って帯状に配置されている。接着層１６ｈは、セパレータ積重部１６ｃと同じ長さで配置されている。セパレータ積重部１６ｃは、セパレータ１６が熱収縮したときにも、ストレート部同士が互いに固着された状態を維持可能なように構成されている。
【００２３】
図４は、一実施形態に係る捲回電極体１０の作製方法を示す模式図である。ここでは、まず、帯状の正極１２と、帯状の負極１４と、２枚の帯状のセパレータシートと、を用意する。次に、２枚のセパレータシートの両端部に、それぞれ、セパレータ積重部１６ｃを形成する。すなわち、図５に示すように、セパレータシートの幅方向Ｙの端部（折り返す部分）に、帯状に耐電解液性の接着剤を塗布した後、当該接着剤を塗布した箇所が内側になるように幅方向Ｙの中央に向かって折り返す。これにより、セパレータ１６を得る。次に、帯状の正極１２と帯状の負極１４とを、２枚の帯状のセパレータ１６を介して重ね合わせ、捲回軸を中心として円筒形状に捲回していく。次に、円筒形状の電極体から捲回軸を引き抜き、側面方向から押しつぶして拉げさせることにより、扁平形状に成形する。これにより、扁平形状の捲回電極体１０を作製することができる。
【００２４】
電解質は、例えば、非水溶媒中に支持塩を含んだ非水電解液である。非水溶媒としては、例えば、カーボネート類、エステル類、エーテル類等の非プロトン性溶媒が挙げられる。具体例として、エチレンカーボネート（ＥＣ）、プロピレンカーボネート（ＰＣ）、ジエチルカーボネート（ＤＥＣ）、ジメチルカーボネート（ＤＭＣ）、エチルメチルカーボネート（ＥＭＣ）等が挙げられる。支持塩としては、例えば、ＬｉＰＦ６、ＬｉＢＦ４等のリチウム塩が挙げられる。電解質は、さらに過充電添加剤や皮膜形成剤等の従来公知の各種添加剤を含有してもよい。
【００２５】
ここで、本発明者らの検討によれば、従来の捲回電極体を備えたリチウム二次電池では、電池温度が上昇したとき、セパレータに亀裂が生じることがある。このことについて、図６、図１４〜１６を参照しつつ説明する。
【００２６】
図１４は、従来例に係る捲回電極体を示す模式図である。従来例の捲回電極体は、捲回平坦部と捲回Ｒ部とを備えた扁平形状の捲回電極体である。従来例の捲回電極体は、幅方向Ｙにおいて、セパレータの対向部とはみ出し部とで厚みが均質な（セパレータの幅方向Ｙの端部が折り返されていない）一般的なセパレータを備えている。図１４に矢印で示すように、セパレータのなかには、電池温度が上昇したときに熱収縮するものがある。例えばポリオレフィン系樹脂からなる樹脂シートは、電池温度が８０〜９０℃以上になると、モノマーの配列方向に熱収縮し始めるものが多い。
【００２７】
図１５は、従来例に係る捲回電極体の要部拡大図である。すなわち、扁平形状の捲回電極体では、捲回Ｒ部に比べて捲回平坦部の緊束力が相対的に弱い。このため、扁平形状の捲回電極体では、セパレータの捲回平坦部が熱収縮しやすい状態となっている。対して、セパレータの捲回Ｒ部は、緊束力が強いために熱収縮し難い状態となっている。したがって、例えば図１４に矢印で示すようにセパレータの捲回平坦部がＹＺ平面の中心に向かって熱収縮すると、捲回Ｒ部はその形状変化に追従することが難しくなる。その結果、捲回平坦部と捲回Ｒ部との境目に応力が集中して、セパレータの幅方向Ｙの端部に亀裂が生じやすい傾向がある。
【００２８】
図１６は、比較例に係る捲回電極体の要部拡大図である。上記した従来例に対して、本発明者らはまず、セパレータシートの両端部をそれぞれ内側に折り返して２重構造（２倍の厚み）とすることにより、セパレータの強度を高めることを試みた。しかし、折り返した部分が固着されていないと、図１６のように、セパレータの熱収縮時に折り返しが解かれてしまい、２重構造を維持することができなかった。その結果、依然としてセパレータの幅方向Ｙの端部に亀裂が生じることがあった。
【００２９】
これら従来例に対し、図６は、ここに開示される技術の一実施形態に係る捲回電極体の要部拡大図である。図６の実施形態では、セパレータシートの幅方向Ｙの両端を内側に折り返して２重構造（２倍の厚み）とし、かつ、２重構造の部分に接着剤を塗布することにより作製されたセパレータを用いている。このことによって、セパレータが熱収縮しても、セパレータの端部を２重構造の状態で安定して維持することができる。その結果、セパレータの幅方向Ｙの端部の強度や耐久性が高められ、電池温度が上昇したときにも、セパレータの幅方向Ｙの端部に亀裂が生じることを好適に抑制することができる。以上を纏めて、下記表１に示す。
【００３０】
【表１】
2020053150.tif 000003
【００３１】
以上、本発明の具体例を詳細に説明したが、これらは例示にすぎず、請求の範囲を限定するものではない。請求の範囲に記載の技術には、以上に例示した具体例を様々に変形、変更したものが含まれる。例えば、上記した実施形態の一部を、変形例に置き換えることも可能であり、上記した実施形態に他の変形例を追加することも可能である。また、上記した実施形態と後述する変形例とを適宜組み合わせることもできる。また、その技術的特徴が必須なものとして説明されていなければ、適宜削除することも可能である。
【００３２】
例えば、上記した実施形態では、セパレータ積重部１６ｃが、セパレータシートの両端を、正極１２の側に１８０°折り返し、かつ、接着剤で固着することによって形成されていた。しかし、これには限定されない。例えば、セパレータシートを折り返す方向や、セパレータシートの積重状態を保持する方法は、以下のように変更することもできる。
【００３３】
図７は、他の一実施形態に係る捲回電極体３０の構成を示す模式図である。捲回電極体３０は、セパレータシートの折り返し方向を負極１４の側とした例である。捲回電極体３０は、セパレータ１６にかえてセパレータ３６を有すること以外、捲回電極体１０と同様である。セパレータ３６は、幅方向Ｙにおいて、負極活物質層１４ａに対向する対向部３６ａと、対向部３６ａから外方にはみ出したはみ出し部３６ｂと、を有する。セパレータ３６のはみ出し部３６ｂには、セパレータ積重部３６ｃが形成されている。セパレータ積重部３６ｃは、接着層３６ｈによって積重方向（厚み方向Ｘ）に固着されている。セパレータ積重部３６ｃは、セパレータシートの両端を、それぞれ、負極１４の側に１８０°折り返し、かつ、折り返した部分の内側全体に接着剤を塗布することによって形成されている。幅方向Ｙにおいて、セパレータ３６のはみ出し部３６ｂとセパレータ積重部３６ｃとは略同じ幅Ｗ５である。また、負極活物質層１４ａの幅Ｗ２と、セパレータ１６の幅Ｗ３と、セパレータ積重部３６ｃの幅Ｗ５とは、次の式：〔（Ｗ３−Ｗ２）／２〕＞Ｗ５；を満たしている。
【００３４】
図８は、他の一実施形態に係る捲回電極体４０の構成を示す模式図である。捲回電極体４０は、セパレータシートの折り返した部分を熱溶着することによって固着した例である。捲回電極体４０は、セパレータ１６にかえてセパレータ４６を有すること以外、捲回電極体１０と同様である。セパレータ４６は、幅方向Ｙの両端部に、セパレータ積重部４６ｃを有する。セパレータ積重部４６ｃは、熱溶着層４６ｈによって積重方向（厚み方向Ｘ）に固着されている。セパレータ積重部４６ｃは、セパレータシートの両端を、それぞれ、正極１２の側に１８０°折り返し、かつ、折り返した部分の内側全体を熱溶着することによって形成されている。
【００３５】
また例えば、上記した実施形態では、セパレータ積重部１６ｃが略Ｕ字状であり、セパレータ積重部１６ｃの厚みが対向部１６ａの２倍であった。しかし、これには限定されない。セパレータ積重部１６ｃは、例えば、対向部１６ａよりも大きく対向部１６ａの２倍未満の厚み、あるいは、対向部１６ａの２倍超の厚みとすることもできる。
【００３６】
図９は、他の一実施形態に係る捲回電極体５０の構成を示す模式図である。捲回電極体５０は、セパレータシートの折り返し回数を増した例である。捲回電極体５０は、セパレータ１６にかえてセパレータ５６を有すること以外、捲回電極体１０と同様である。セパレータ５６は、幅方向Ｙの両端部に、セパレータ積重部５６ｃを有する。セパレータ積重部５６ｃは略Ｓ字状である。セパレータ積重部５６ｃは、幅方向Ｙに沿って延び、厚み方向Ｘに積重されている３つのストレート部と、ストレート部の間にそれぞれ介在する２つの半円形状の屈曲部と、を有する。セパレータ積重部５６ｃは、接着層５６ｈによって積重方向（厚み方向Ｘ）に固着されている。セパレータ積重部５６ｃは、セパレータシートの両端を、それぞれ、Ｓ字状に折り返し、かつ、折り返した部分の内側全体に接着剤を塗布することによって形成されている。セパレータ積重部５６ｃは、対向部１６ａの３倍の厚みを有する。セパレータ積重部５６ｃは、厚み方向Ｘにおいて、正極活物質層１２ａの厚みよりも薄い。
【００３７】
また例えば、上記した実施形態では、セパレータシートの両端を折り返すことによって、セパレータ積重部１６ｃの厚みを増していた。しかし、これには限定されない。
【００３８】
図１０は、他の一実施形態に係る捲回電極体６０の構成を示す模式図である。捲回電極体６０は、別途、帯状のセパレータシートを追加した例である。捲回電極体６０は、セパレータ１６にかえてセパレータ６６、６８を有すること以外、捲回電極体１０と同様である。セパレータ６６の幅Ｗ６は、セパレータ６８の幅Ｗ７よりも大きい。セパレータ６６は、幅方向Ｙの両端部に、セパレータ積重部６６ｃを有する。セパレータ積重部６６ｃは、接着層６６ｈによって積重方向（厚み方向Ｘ）に固着されている。セパレータ積重部６６ｃは、セパレータ６６の両端部に接着を塗布した後、セパレータ６８を配置し、セパレータ６６、６８を一体化させることによって形成されている。
【００３９】
図１１は、他の一実施形態に係る捲回電極体７０の構成を示す模式図である。捲回電極体７０は、セパレータシートの両端を楕円形状に巻いた例である。捲回電極体７０は、セパレータ１６にかえてセパレータ７６を有すること以外、捲回電極体１０と同様である。セパレータ７６は、幅方向Ｙの両端部に、セパレータ積重部７６ｃを有する。セパレータ積重部７６ｃは、接着層７６ｈによって積重方向（厚み方向Ｘ）に固着されている。セパレータ積重部７６ｃは、セパレータシートの両端を、それぞれ、楕円状に捲回し、かつ、捲回した部分の内側全体に接着剤を塗布することによって形成されている。セパレータ積重部７６ｃは、厚み方向Ｘにおいて、正極活物質層１２ａの厚みよりも薄い。
【００４０】
また例えば、上記した実施形態では、折り返した部分の内側全体に内側全体に接着剤が塗布され、接着層１６ｈが長手方向に沿って帯状に配置されていた。しかし、これには限定されない。接着層１６ｈの形状や配置は、セパレータ１６が熱収縮したときにもセパレータ積重部１６ｃを維持可能な限りにおいて、特に限定されない。例えば、接着層１６ｈは、セパレータ積重部１６ｃの一部分のみに形成され、セパレータ積重部１６ｃの一部のみが相互に固着されていてもよい。セパレータ積重部１６ｃには、部分的に固着されていない箇所があってもよい。
【００４１】
図１２は、他の一実施形態に係る捲回電極体８０の構成を示す模式図である。捲回電極体８０は、捲回平坦部８０ｆと捲回Ｒ部８０ｒとを有する。捲回電極体８０は、セパレータ１６にかえてセパレータ８６を有すること以外、捲回電極体１０と同様である。セパレータ８６は、幅方向Ｙの両端部に、セパレータ積重部８６ｃを有する。セパレータ積重部８６ｃには、長手方向に沿って複数の接着層８６ｈが点状に配置されている。接着層８６ｈは、少なくとも捲回平坦部８０ｆと捲回Ｒ部８０ｒとの境目をまたぐように帯状に配置されている。接着層８６ｈは、捲回平坦部８０ｆと捲回Ｒ部８０ｒとの境界部分を含む複数の箇所に配置されている。
【００４２】
図１３は、他の一実施形態に係る捲回電極体９０の構成を示す模式図である。捲回電極体９０は、捲回平坦部９０ｆと捲回Ｒ部９０ｒとを有する。捲回電極体９０は、セパレータ１６にかえてセパレータ９６を有すること以外、捲回電極体１０と同様である。セパレータ９６は、幅方向Ｙの両端部に、セパレータ積重部９６ｃを有する。セパレータ積重部９６ｃには、長手方向に沿って複数の接着層９６ｈが配置されている。接着層９６ｈは、捲回平坦部９０ｆと捲回Ｒ部９０ｒとの境目をまたぐように帯状に配置されている。接着層９６ｈは、捲回平坦部９０ｆと捲回Ｒ部９０ｒとの境界部分のみに配置されている。
【符号の説明】
【００４３】
１  リチウム二次電池、  １０  捲回電極体、  １０ｆ  捲回平坦部、  １６ｒ  捲回Ｒ部、  １６  セパレータ、  １６ｃ  セパレータ積重部、  １６ｈ  接着層
【図１】
2020053150.tif 000004
【図２】
2020053150.tif 000005
【図３】
2020053150.tif 000006
【図４】
2020053150.tif 000007
【図５】
2020053150.tif 000008
【図６】
2020053150.tif 000009
【図７】
2020053150.tif 000010
【図８】
2020053150.tif 000011
【図９】
2020053150.tif 000012
【図１０】
2020053150.tif 000013
【図１１】
2020053150.tif 000014
【図１２】
2020053150.tif 000015
【図１３】
2020053150.tif 000016
【図１４】
2020053150.tif 000017
【図１５】
2020053150.tif 000018
【図１６】
2020053150.tif 000019